(57)【特許請求の範囲】
【請求項１】
扉に取り付けられて扉のハンドルを保護する保護部材であって、
本体部と、
この本体部に設けられると共に互いに直交する方向に突出する第１の突起部、第２の突起部および第３の突起部とを備え、
互いに直交する軸をＸ軸、Ｙ軸およびＺ軸としたとき、
上記本体部は、ＸＺ平面に平行な第１平板部と、この第１平板部の端部に端部が連設されると共にＹＺ平面に平行な第２平板部とを有し、
上記第１の突起部は、ＹＺ平面に平行な平板状に形成されると共に上記第１平板部における上記第２平板部側の一面に設けられ、
上記第２の突起部は、ＸＺ平面に平行な平板状に形成されると共に上記第２平板部における上記第１平板部側の一面に設けられ、
上記第３の突起部は、ＸＹ平面に平行な平板状に形成されると共に上記第１平板部の上記一面または上記第２平板部の上記一面の少なくとも一方に設けられることを特徴とする扉のハンドルの保護部材。
【請求項２】
開口部を有する箱体と、
この箱体の開口部に取り付けられると共に前面にハンドルを有する第１の扉と、
この第１の扉の下側に位置すると共に上記箱体の開口部に取り付けられる第２の扉と、
上記第１の扉に取り付けられると共に上記ハンドルの少なくとも一部を覆って保護する請求項１に記載の保護部材と
を備え、
上記保護部材が上記第１の扉に完全に取り付けられた状態で、
上記第１平板部は、上記ハンドルの前面に位置し、
上記第２平板部は、上記第１の扉および上記ハンドルの左右方向一方側に位置し、
上記第１の突起部は、上記ハンドルの左右方向他方側に位置し、
上記第２の突起部は、上記第１の扉と上記箱体との間の第１の隙間に位置し、
上記第３の突起部は、上記第１の扉と上記第２の扉との間の第２の隙間に位置することを特徴とする扉のハンドルの保護構造。
【発明の詳細な説明】
【技術分野】
【０００１】
この発明は、例えば、（冷蔵庫または電子レンジ等の）電気製品や（タンスまたは棚等の）家具等の扉のハンドルを保護する保護部材および保護構造に関する。
【背景技術】
【０００２】
従来、冷蔵庫の扉の外面を、ほぼ一定の空間部をもって覆う包装容器において、この空間部に、扉のハンドルを保護する保護部材が配置されていた（特開２００３−７２８４９号公報：特許文献１参照）。
【０００３】
この保護部材は、断面略三角形に組み立てられ、上記保護部材の一辺が上記扉の外面と当接し、上記保護部材の上記一辺に対向する頂点が、上記包装容器と当接することで、外部からの衝撃に対して上記扉のハンドルを保護していた。
【０００４】
具体的に述べると、上記保護部材は、扉固定部を有し、上記扉は、前方に突出したハンドルを有し、上記保護部材の上記扉固定部を上記扉の上記ハンドルに上方から引っ掛けることで、上記保護部材を上記扉に取り付けていた。
【特許文献１】特開２００３−７２８４９号公報
【発明の開示】
【発明が解決しようとする課題】
【０００５】
しかしながら、上記従来の保護部材では、上記保護部材は、上記ハンドルに上方から引っ掛けられて、上記扉に取り付けられていただけなので、上記保護部材に上向きの力がかかった場合、上記保護部材が上記ハンドルから容易に離脱する欠点があった。このため、例えば、冷蔵庫の運搬時に、上記保護部材が冷蔵庫から離脱して、扉のハンドルが損傷するおそれがあった。
【０００６】
そこで、この発明の課題は、扉に確実に固定されて、冷蔵庫の運搬時等における扉のハンドルの損傷を防止する保護部材を提供することにある。
【課題を解決するための手段】
【０００７】
上記課題を解決するため、この発明の扉のハンドルの保護部材は、
扉に取り付けられて扉のハンドルを保護する保護部材であって、
本体部と、
この本体部に設けられると共に互いに直交する方向に突出する第１の突起部、第２の突起部および第３の突起部と
を備えることを特徴としている。
【０００８】
この発明の扉のハンドルの保護部材によれば、本体部と、互いに直交する方向に突出する第１の突起部、第２の突起部および第３の突起部とを備えているので、上記保護部材を上記扉に取り付けた場合に、上記保護部材は、上記本体部および上記３つの突起部により、互いに直交する３方向に移動しないように、確実に固定される。
【０００９】
したがって、例えば、上記保護部材を冷蔵庫の扉に取り付けて、冷蔵庫を運搬する時に、上記保護部材に上向きの力がかかっても、上記保護部材が冷蔵庫から離脱することを防ぐことができて、扉のハンドルの損傷を防止することができる。また、上記保護部材を、仮止めテープにて、扉に固定する必要がなくて、仮止めテープは、不要になる。
【００１０】
また、一実施形態の扉のハンドルの保護部材では、
互いに直交する軸をＸ軸、Ｙ軸およびＺ軸としたとき、
上記本体部は、ＸＺ平面に平行な第１平板部と、この第１平板部の端部に端部が連設されると共にＹＺ平面に平行な第２平板部とを有し、
上記第１の突起部は、ＹＺ平面に平行な平板状に形成されると共に上記第１平板部における上記第２平板部側の一面に設けられ、
上記第２の突起部は、ＸＺ平面に平行な平板状に形成されると共に上記第２平板部における上記第１平板部側の一面に設けられ、
上記第３の突起部は、ＸＹ平面に平行な平板状に形成されると共に上記第１平板部の上記一面または上記第２平板部の上記一面の少なくとも一方に設けられる。
【００１１】
この実施形態の扉のハンドルの保護部材によれば、上記本体部は、ＸＺ平面に平行な第１平板部とＹＺ平面に平行な第２平板部とを有し、上記第１の突起部は、ＹＺ平面に平行な平板状に形成されると共に上記第１平板部の上記一面に設けられ、上記第２の突起部は、ＸＺ平面に平行な平板状に形成されると共に上記第２平板部の上記一面に設けられ、上記第３の突起部は、ＸＹ平面に平行な平板状に形成されると共に上記第１平板部の上記一面または上記第２平板部の上記一面の少なくとも一方に設けられるので、上記保護部材を上記扉に取り付けた場合に、上記保護部材は、上記本体部および上記３つの突起部により、Ｘ軸、Ｙ軸およびＺ軸方向に移動しないように、一層確実に固定される。
【００１２】
また、この発明の扉のハンドルの保護構造は、
開口部を有する箱体と、
この箱体の開口部に取り付けられると共に前面にハンドルを有する第１の扉と、
この第１の扉の下側に位置すると共に上記箱体の開口部に取り付けられる第２の扉と、
上記第１の扉に取り付けられると共に上記ハンドルの少なくとも一部を覆って保護する請求項２に記載の保護部材と
を備え、
上記保護部材が上記第１の扉に完全に取り付けられた状態で、
上記第１平板部は、上記ハンドルの前面に位置し、
上記第２平板部は、上記第１の扉および上記ハンドルの左右方向一方側に位置し、
上記第１の突起部は、上記ハンドルの左右方向他方側に位置し、
上記第２の突起部は、上記第１の扉と上記箱体との間の第１の隙間に位置し、
上記第３の突起部は、上記第１の扉と上記第２の扉との間の第２の隙間に位置することを特徴としている。
【００１３】
ここで、Ｘ軸方向を扉の左右方向とし、Ｙ軸方向を扉の前後方向とし、Ｚ軸方向を扉の上下方向とする。
【００１４】
この発明の扉のハンドルの保護構造によれば、上記第１平板部は、上記ハンドルの前面に位置し、上記第２平板部は、上記第１の扉および上記ハンドルの左右方向一方側に位置し、上記第１の突起部は、上記ハンドルの左右方向他方側に位置し、上記第２の突起部は、上記第１の扉と上記箱体との間の第１の隙間に位置し、上記第３の突起部は、上記第１の扉と上記第２の扉との間の第２の隙間に位置するので、上記保護部材は、上記本体部および上記３つの突起部により、扉の上下方向、左右方向および前後方向に移動しないように、上記第１の扉に確実に固定される。
【００１５】
また、一実施形態の扉のハンドルの保護構造では、
上記ハンドルは、左右方向に貫通する孔部を有し、
上記保護部材は、上記第１の突起部を上記ハンドルの上記孔部に挿入するように、上下方向の軸を中心として揺動することで、上記第２の突起部は、上記第１の隙間から離脱し、上記第３の突起部は、上記第２の隙間から離脱する。
【００１６】
この実施形態の扉のハンドルの保護構造によれば、上記保護部材は、上記第１の突起部を上記ハンドルの上記孔部に挿入するように、上下方向の軸を中心として揺動することで、上記第２の突起部は、上記第１の隙間から離脱し、上記第３の突起部は、上記第２の隙間から離脱するので、簡単な操作で、上記保護部材を上記第１の扉から取り外すことができる。
【発明の効果】
【００１７】
この発明の扉のハンドルの保護部材によれば、本体部と、互いに直交する方向に突出する第１の突起部、第２の突起部および第３の突起部とを備えているので、扉に取り付けた場合、扉に確実に固定されて、冷蔵庫の運搬時等における扉のハンドルの損傷を防止する。
【００１８】
この発明の扉のハンドルの保護構造によれば、上記第１平板部は、上記ハンドルの前面に位置し、上記第２平板部は、上記第１の扉および上記ハンドルの左右方向一方側に位置し、上記第１の突起部は、上記ハンドルの左右方向他方側に位置し、上記第２の突起部は、上記第１の扉と上記箱体との間の第１の隙間に位置し、上記第３の突起部は、上記第１の扉と上記第２の扉との間の第２の隙間に位置するので、上記保護部材は上記第１の扉に確実に固定される。
【発明を実施するための最良の形態】
【００１９】
以下、この発明を図示の実施の形態により詳細に説明する。
【００２０】
図１は、この発明の扉のハンドルの保護部材の一実施形態である斜視図を示している。この保護部材５は、例えば、弾性を有する発泡スチロール等の合成樹脂の一体成型からなり、扉に取り付けられて扉のハンドルを保護する。
【００２１】
上記保護部材５は、本体部５０と、この本体部５０に設けられる第１の突起部５１、第２の突起部５２および第３の突起部５３とを備える。上記第１の突起部５１、第２の突起部５２および第３の突起部５３は、互いに直交する方向に突出する。
【００２２】
互いに直交する軸をＸ軸、Ｙ軸およびＺ軸とすると、上記本体部５０は、断面Ｌ字状に形成され、ＸＺ平面に平行な第１平板部５０ａと、ＹＺ平面に平行な第２平板部５０ｂとを有する。上記第２平板部５０ｂのＸ軸方向の一端部は、上記第１平板部５０ａのＹ軸方向の一端部に連設される。上記第１平板部５０ａのＺ軸方向の長さと、上記第２平板部５０ｂのＺ軸方向の長さとは、等しい。
【００２３】
上記第１の突起部５１は、ＹＺ平面に平行な平板状に形成され、上記第１平板部５０ａにおける上記第２平板５０ｂ部側の一面に設けられる。上記第１の突起部５１は、上記第１平板部５０ａのＸ軸方向の他端部に連設される。上記第１の突起部５１のＺ軸方向の長さは、上記第１平板部５０ａのＺ軸方向の長さの略半分であり、上記第１の突起部５１は、上記第１平板部５０ａのＺ軸方向の略中央に位置している。
【００２４】
上記第２の突起部５２は、ＸＺ平面に平行な平板状に形成され、上記第２平板部５０ｂにおける上記第１平板部５０ａ側の一面に設けられる。上記第２の突起部５２は、上記第２平板部５０ｂのＹ軸方向の他端部に連設される。上記第２の突起部５２のＺ軸方向の長さは、上記第２平板部５０ｂのＺ軸方向の長さと同じである。
【００２５】
上記第３の突起部５３は、ＸＹ平面に平行な平板状に形成され、上記第１平板部５０ａの上記一面および上記第２平板部５０ｂの上記一面に設けられる。上記第３の突起部５３は、上記第１平板部５０ａおよび上記第２平板部５０ｂのＺ軸方向の一端部に連設される。上記第３の突起部５３のＸ軸方向の長さは、上記第１平板部５０ａのＸ軸方向の長さと同じであり、上記第３の突起部５３のＹ軸方向の長さは、上記第２平板部５０ｂのＹ軸方向の長さの略半分である。
【００２６】
図２は、冷蔵庫の斜視図を示している。この冷蔵庫１０は、開口部を有する（箱体としての）冷蔵庫本体６と、この冷蔵庫本体６の開口部に上から下へ順に取り付けられる第１の扉１、第２の扉２および第３の扉３とを備える。
【００２７】
上記第１の扉１は、冷蔵室の扉である。上記第１の扉１は、片開き（右開き）である。上記第１の扉１の前面に、ハンドル７を有する。このハンドル７は、上記第１の扉１の左側に位置している。ハンドル７は、左右方向に貫通する孔部７ａを有する。
【００２８】
上記第２の扉２は、冷凍室の扉であり、上記第３の扉３は、野菜室の扉である。上記第２の扉２および上記第３の扉３は、引き出し式の扉である。
【００２９】
図３、図４および図５は、上記冷蔵庫１０に上記保護部材５を取り付けた状態を示す。図３は、冷蔵庫の左側からみた斜視図であり、図４は、冷蔵庫の右側からみた斜視図であり、図５は、冷蔵庫の上側からみた平面図である。
【００３０】
扉のハンドルの保護構造は、上記冷蔵庫本体６と、上記第１の扉１と、上記第２の扉２と、上記保護部材５とを備える。上記保護部材５は、上記第１の扉１に取り付けられると共に上記ハンドル７の少なくとも一部を覆って保護する。
【００３１】
上記第１の扉１が閉じられた状態で、上記第１の扉１と上記冷蔵庫本体６との間には、第１の隙間Ｓ１を有する。この第１の隙間Ｓ１は、上記第１の扉１の左側に位置する。上記第１の扉１および上記第２の扉２が閉じられた状態で、上記第１の扉１と上記第２の扉２との間には、第２の隙間Ｓ２を有する。この第２の隙間Ｓ２は、上記第１の扉１の下側に位置する。
【００３２】
上記保護部材５が上記第１の扉１に完全に取り付けられた状態で、上記第１平板部５０ａは、上記ハンドル７の前面に位置する。上記第２平板部５０ｂは、上記第１の扉１および上記ハンドル７の左右方向一方側（左側）に位置する。上記第１の突起部５１は、上記ハンドル７の左右方向他方側（右側）に位置する。上記第２の突起部５２は、上記第１の隙間Ｓ１に位置する。上記第３の突起部５３は、上記第２の隙間Ｓ２に位置する。つまり、Ｘ軸方向を左右方向に一致させ、Ｙ軸方向を前後方向に一致させ、Ｚ軸方向を上下方向に一致させる。
【００３３】
上記第２平板部５０ｂおよび上記第１の突起部５１は、上記ハンドル７の左右方向を挟んで、上記保護部材５の左右方向の動きを抑制する。上記第２の突起部５２は、上記第１の隙間Ｓ１に位置して、上記保護部材５の前後方向の動きを抑制する。上記第３の突起部５３は、上記第２の隙間Ｓ２に位置して、上記保護部材５の上下方向の動きを抑制する。上記第１平板部５０ａは、上記ハンドル７の前面に位置して、上記ハンドル７を覆う。
【００３４】
そして、上記保護部材５を取り付けられた冷蔵庫は、（図示しない）包装容器に覆われて、運搬される。このとき、上記保護部材５は、外部からの衝撃に対して、上記ハンドル７を保護する。
【００３５】
次に、上記保護部材５を上記第１の扉１に取り付ける方法を説明する。
【００３６】
図６に示すように、上記第１の扉１および上記第２の扉２を閉じた状態で、上記保護部材５を、上記ハンドル７の右側から、矢印Ａ方向に示すように、上記ハンドル７に近づけ、上記保護部材５の上記第１の突起部５１を、上記ハンドル７の孔部７ａに挿入する。
【００３７】
そして、上記第１の突起部５１を上記ハンドル７の上記孔部７ａから離脱するように、上記保護部材５を、上記第１の突起部５１辺りの上下方向の軸を中心として、矢印Ｂ方向に示すように、右回りに９０°揺動し、図５に示すように、上記第２の突起部５２を上記第１の隙間Ｓ１に挿入し、上記第３の突起部５３を上記第２の隙間Ｓ２に挿入して、上記保護部材５を上記第１の扉１に取り付ける。
【００３８】
一方、上記保護部材５を上記第１の扉１から取り外すには、図６に示すように、上記第１の突起部５１を上記ハンドル７の上記孔部７ａに挿入するように、上記保護部材５を、上記第１の突起部５１辺りの上下方向の軸を中心として、左回りに９０°揺動し、上記第２の突起部５２を上記第１の隙間Ｓ１から離脱し、上記第３の突起部５３を上記第２の隙間Ｓ２から離脱する。
【００３９】
そして、上記保護部材５を、上記ハンドル７の右側へ、移動して、上記第１の突起部５１を、上記ハンドル７の孔部７ａから離脱する。
【００４０】
このように、上記保護部材５を上下方向の軸を中心として揺動させることで、上記保護部材５を上記第１の扉１に簡単に着脱できる。
【００４１】
上記構成の扉のハンドルの保護部材によれば、本体部５０と、互いに直交する方向に突出する第１の突起部５１、第２の突起部５２および第３の突起部５３とを備えているので、上記保護部材５を上記扉に取り付けた場合に、上記保護部材５は、上記本体部５０および上記３つの突起部５１，５２，５３により、互いに直交する３方向に移動しないように、確実に固定される。
【００４２】
したがって、例えば、上記保護部材５を冷蔵庫の扉に取り付けて、冷蔵庫を運搬する時に、上記保護部材５に上向きの力がかかっても、上記保護部材５が冷蔵庫から離脱することを防ぐことができて、扉のハンドルの損傷を防止することができる。また、上記保護部材５を、仮止めテープにて、扉に固定する必要がなくて、仮止めテープは、不要になる。
【００４３】
また、上記本体部５０は、ＸＺ平面に平行な第１平板部５０ａとＹＺ平面に平行な第２平板部５０ｂとを有し、上記第１の突起部５１は、ＹＺ平面に平行な平板状に形成されると共に上記第１平板部５０ａの上記一面に設けられ、上記第２の突起部５２は、ＸＺ平面に平行な平板状に形成されると共に上記第２平板部５０ｂの上記一面に設けられ、上記第３の突起部５３は、ＸＹ平面に平行な平板状に形成されると共に上記第１平板部５０ａの上記一面および上記第２平板部５０ｂの上記一面に設けられるので、上記保護部材５を上記扉に取り付けた場合に、上記保護部材５は、上記本体部５０および上記３つの突起部５１，５２，５３により、Ｘ軸、Ｙ軸およびＺ軸方向に移動しないように、一層確実に固定される。
【００４４】
上記構成の扉のハンドルの保護構造によれば、上記第１平板部５０ａは、上記ハンドル７の前面に位置し、上記第２平板部５０ｂは、上記第１の扉１および上記ハンドル７の左右方向一方側に位置し、上記第１の突起部５１は、上記ハンドル７の左右方向他方側に位置し、上記第２の突起部５２は、上記第１の扉１と上記冷蔵庫本体６との間の第１の隙間Ｓ１に位置し、上記第３の突起部５３は、上記第１の扉１と上記第２の扉２との間の第２の隙間Ｓ２に位置するので、上記保護部材５は、上記本体部５０および上記３つの突起部５１，５２，５３により、扉の上下方向、左右方向および前後方向に移動しないように、上記第１の扉１に確実に固定される。
【００４５】
また、上記保護部材５は、上記第１の突起部５１を上記ハンドル７の上記孔部７ａに挿入するように、上下方向の軸を中心として揺動することで、上記第２の突起部５２は、上記第１の隙間Ｓ１から離脱し、上記第３の突起部５３は、上記第２の隙間Ｓ２から離脱するので、簡単な操作で、上記保護部材５を上記第１の扉１から取り外すことができる。
【００４６】
なお、この発明は上述の実施形態に限定されない。例えば、上記第３の突起部を、上記第１平板部の上記一面または上記第２平板部の上記一面の少なくとも一方に設けてもよい。上記第１〜上記第３の突起部の大きさは、変更自由である。上記第１の扉は、ハンドルを右側に有して、左開きであってもよい。上記第２の扉および上記第３の扉は、片開きであってもよい。
【００４７】
また、この発明の扉の保護構造を、冷蔵庫以外に、例えば、（電子レンジ等の）電気製品や（タンスまたは棚等の）家具等の扉を有する箱体に、用いてもよい。
【図面の簡単な説明】
【００４８】
【図１】本発明の扉のハンドルの保護部材の一実施形態を示す斜視図である。
【図２】冷蔵庫の斜視図である。
【図３】本発明の扉のハンドルの保護構造の一実施形態を示すと共に冷蔵庫の左側からみた斜視図である。
【図４】本発明の扉のハンドルの保護構造の一実施形態を示すと共に冷蔵庫の右側からみた斜視図である。
【図５】本発明の扉のハンドルの保護構造の一実施形態を示すと共に冷蔵庫の上側からみた平面図である。
【図６】保護部材を第１の扉に取り付ける状態を説明する説明図である。
【符号の説明】
【００４９】
１    第１の扉（冷蔵室扉）
２    第２の扉（冷凍室扉）
３    第３の扉（野菜室扉）
５    保護部材
５０    本体部
５０ａ    第１平板部
５０ｂ    第２平板部
５１    第１の突起部
５２    第２の突起部
５３    第３の突起部
６    冷蔵庫本体（箱体）
７    ハンドル
７ａ    孔部
１０    冷蔵庫
Ｓ１    第１の隙間
Ｓ２    第２の隙間
【図１】
0004975653.tif 000002
【図２】
0004975653.tif 000003
【図３】
0004975653.tif 000004
【図４】
0004975653.tif 000005
【図５】
0004975653.tif 000006
【図６】
0004975653.tif 000007